(57)【要約】【課題】  既設の装置を使用可能であるとともに、所定の信頼性を確保することが可能となる系統連系用エンジン駆動発電機のオーバーヒート防止装置を提供する。【解決手段】  エンジンＥの冷却水温度がオーバーヒート設定温度以上の場合に動作する水温スイッチ５２と、前記エンジンの冷却水温度が上昇して前記水温スイッチが動作したときの水温センサ５１により検出された検出冷却水温度と前記オーバーヒート設定温度との差を補正値として算出する補正値算出部２４と、前記検出冷却水温度と前記補正値の和を冷却水温度データとして算出する冷却水温度データ算出部２６と、インバータ装置ＩＶの出力電力を制御するインバータ制御手段３０と、を備えたオーバーヒート防止装置とした。【選択図】      図１
2005076566.tif 000002
【特許請求の範囲】
【請求項１】
エンジンにより駆動される発電機の出力を整流手段により整流し、この整流出力をインバータ装置で規定電圧及び規定周波数の交流電力に変換して出力する系統連系用エンジン駆動発電機におけるオーバーヒート防止装置であって、
前記エンジンの冷却水温度がオーバーヒート設定温度以上の場合に動作する水温スイッチと、
前記冷却水温度を検出するための冷却水温度検出手段と、
前記インバータ装置の出力電流を検出する電流検出手段と、
前記水温スイッチが動作した場合及び前記冷却水温度検出手段が前記オーバーヒート設定温度以上の場合の少なくとも一方の場合に前記エンジンを停止させるためのエンジンガバナ制御手段と、
前記エンジンの冷却水温度が上昇して前記水温スイッチが動作したとき、当該水温スイッチが動作したときの前記冷却水温度検出手段により検出された検出冷却水温度と、前記オーバーヒート設定温度との差を補正値として算出する補正値算出手段と、
前記補正値を記憶する補正値記憶手段と、
前記冷却水温度検出手段により検出された前記検出冷却水温度と、前記補正値記憶手段に記憶されている前記補正値の和を冷却水温度データとして算出する冷却水温度データ算出手段と、
前記冷却水温度データ算出手段により算出された冷却水温度データが前記オーバーヒート設定温度未満の時に、前記電流検出手段により検出された検出電流に基づいて前記インバータ装置の出力電流を制御するインバータ制御手段と、を備え、
前記インバータ制御手段では、
前記オーバーヒート設定温度未満において予め定められている所定の複数区分の冷却水温度範囲毎に、当該冷却水温度範囲が高温度になるに従って減少するように制限電流値が段階的に設定されており、
前記冷却水温度データの上昇に応じて前記制限電流値が維持されるように、前記インバータ装置の出力電流を段階的に減少させる制御を行うことが可能となるように構成されていること、を特徴とするオーバーヒート防止装置。
【請求項２】
エンジンにより駆動される発電機の出力を整流手段により整流し、この整流出力をインバータ装置で規定電圧及び規定周波数の交流電力に変換して出力する系統連系用エンジン駆動発電機におけるオーバーヒート防止装置であって、
前記エンジンの冷却水温度がオーバーヒート設定温度以上の場合に動作する水温スイッチと、
前記冷却水温度を検出するための冷却水温度検出手段と、
前記インバータ装置の出力電流を検出する電流検出手段と、
前記インバータ装置の出力電圧を検出する電圧検出手段と、
前記水温スイッチが動作した場合及び前記冷却水温度検出手段が前記オーバーヒート設定温度以上の場合の少なくとも一方の場合に前記エンジンを停止させるためのエンジンガバナ制御手段と、
前記エンジンの冷却水温度が上昇して前記水温スイッチが動作したとき、当該水温スイッチが動作したときの前記冷却水温度検出手段により検出された検出冷却水温度と、前記オーバーヒート設定温度との差を補正値として算出する補正値算出手段と、
前記補正値を記憶する補正値記憶手段と、
前記冷却水温度検出手段により検出された前記検出冷却水温度データと、前記補正値記憶手段に記憶されている前記補正値の和を冷却水温度として算出する冷却水温度データ算出手段と、
前記冷却水温度データ算出手段により算出された冷却水温度データが前記オーバーヒート設定温度未満の時に、前記電流検出手段により検出された検出電流と前記電圧検出手段により検出された検出電圧とに基づいて、前記インバータ装置の出力電力を制御するインバータ制御手段と、を備え、
前記インバータ制御手段では、
前記オーバーヒート設定温度未満において予め定められている所定の複数区分の冷却水温度範囲毎に、当該冷却水温度範囲が高温度になるに従って減少するように制限電力値が段階的に設定されており、
前記冷却水温度データの上昇に応じて前記制限電力値が維持されるように、前記インバータ装置の出力電力を段階的に減少させる制御を行うことが可能となるように構成されていること、を特徴とするオーバーヒート防止装置。
【発明の詳細な説明】
【技術分野】
【０００１】
本発明は、系統連系が可能なエンジン駆動発電機（以下「系統連系用エンジン駆動発電機」という）のオーバーヒート防止装置に関する。
【背景技術】
【０００２】
系統連系用エンジン駆動発電機は、需要家の負荷が発電機電力を上回っている場合において、常に定格出力運転が行われる効率の高い発電電源であるが、排熱利用を行うコージェネレーションシステム以外の系統連系用エンジン駆動発電機では、ラジエータ等の冷却装置によりエンジンを冷却しなければならない。このとき、メンテナンスのインターバルを長くして系統連系用エンジン駆動発電機の運転を続けると、冷却装置が汚れたり、目詰まり等を起こすため冷却効率が低下してしまい、メンテナンス時における定期清掃を行う前に冷却装置に不具合が生じ、エンジンがオーバーヒートを起こすことがある。この場合には、冷却装置の保守作業が必要となり、サービスマンを呼ぶことによる人件費の支出が生じてしまう。一方、オーバーヒートを防止するための大型の冷却装置を備える系統連系用エンジン駆動発電機を使用する場合には、高価格となってしまう。
そこで、オーバーヒートを防止するために、温度センサにより高水温（オーバーヒート温度）を検出した場合に、その出力を制御する技術が提案されている（特許文献１参照）。
【特許文献１】特願平８−１６８１０３号公報（［００２５］―［００２９］，図１−図２）
【発明の開示】
【発明が解決しようとする課題】
【０００３】
しかし、前記技術では、適切な制御を行うためには高精度である高価な温度センサを使用する必要がある。
一方、オーバーヒートは、夏場における日照条件等の特定の条件により一時的に起こるものであり、長期的に見ればその発生確率は低いものであることから、当該オーバーヒートの防止のみを目的として高価な温度センサを使用することは、製造費用を抑制する観点からは不都合であった。
【０００４】
本発明は、前記問題点を解決するためになされたものであり、既設の装置を使用可能であるとともに、所定の信頼性を確保することが可能となる系統連系用エンジン駆動発電機のオーバーヒート防止装置を提供することを目的とする。
【課題を解決するための手段】
【０００５】
前記課題を解決するために、本発明は、エンジンにより駆動される発電機の出力を整流手段により整流し、この整流出力をインバータ装置で規定電圧及び規定周波数の交流電力に変換して出力する系統連系用エンジン駆動発電機におけるオーバーヒート防止装置であって、前記エンジンの冷却水温度がオーバーヒート設定温度以上の場合に動作する水温スイッチと、前記冷却水温度を検出するための冷却水温度検出手段と、前記インバータ装置の出力電流を検出する電流検出手段と、前記水温スイッチが動作した場合及び前記冷却水温度検出手段が前記オーバーヒート設定温度以上の場合の少なくとも一方の場合に前記エンジンを停止させるためのエンジンガバナ制御手段と、前記エンジンの冷却水温度が上昇して前記水温スイッチが動作したとき、当該水温スイッチが動作したときの前記冷却水温度検出手段により検出された検出冷却水温度と、前記オーバーヒート設定温度との差を補正値として算出する補正値算出手段と、前記補正値を記憶する補正値記憶手段と、前記冷却水温度検出手段により検出された前記検出冷却水温度と、前記補正値記憶手段に記憶されている前記補正値の和を冷却水温度データとして算出する冷却水温度データ算出手段と、前記冷却水温度データ算出手段により算出された冷却水温度データが前記オーバーヒート設定温度未満の時に、前記電流検出手段により検出された検出電流に基づいて前記インバータ装置の出力電流を制御するインバータ制御手段と、を備え、前記インバータ制御手段では、前記オーバーヒート設定温度未満において予め定められている所定の複数区分の冷却水温度範囲毎に、当該冷却水温度範囲が高温度になるに従って減少するように制限電流値が段階的に設定されており、前記冷却水温度データの上昇に応じて前記制限電流値が維持されるように、前記インバータ装置の出力電流を段階的に減少させる制御を行うことが可能となるように構成されていること、を特徴としている。
【０００６】
また、本発明は、エンジンにより駆動される発電機の出力を整流手段により整流し、この整流出力をインバータ装置で規定電圧及び規定周波数の交流電力に変換して出力する系統連系用エンジン駆動発電機におけるオーバーヒート防止装置であって、前記エンジンの冷却水温度がオーバーヒート設定温度以上の場合に動作する水温スイッチと、前記冷却水温度を検出するための冷却水温度検出手段と、前記インバータ装置の出力電流を検出する電流検出手段と、前記インバータ装置の出力電圧を検出する電圧検出手段と、前記水温スイッチが動作した場合及び前記冷却水温度検出手段が前記オーバーヒート設定温度以上の場合の少なくとも一方の場合に前記エンジンを停止させるためのエンジンガバナ制御手段と、前記エンジンの冷却水温度が上昇して前記水温スイッチが動作したとき、当該水温スイッチが動作したときの前記冷却水温度検出手段により検出された検出冷却水温度と、前記オーバーヒート設定温度との差を補正値として算出する補正値算出手段と、前記補正値を記憶する補正値記憶手段と、前記冷却水温度検出手段により検出された前記検出冷却水温度データと、前記補正値記憶手段に記憶されている前記補正値の和を冷却水温度として算出する冷却水温度データ算出手段と、前記冷却水温度データ算出手段により算出された冷却水温度データが前記オーバーヒート設定温度未満の時に、前記電流検出手段により検出された検出電流と前記電圧検出手段により検出された検出電圧とに基づいて、前記インバータ装置の出力電力を制御するインバータ制御手段と、を備え、前記インバータ制御手段では、前記オーバーヒート設定温度未満において予め定められている所定の複数区分の冷却水温度範囲毎に、当該冷却水温度範囲が高温度になるに従って減少するように制限電力値が段階的に設定されており、前記冷却水温度データの上昇に応じて前記制限電力値が維持されるように、前記インバータ装置の出力電力を段階的に減少させる制御を行うことが可能となるように構成されていること、を特徴としている。
【発明の効果】
【０００７】
本発明では、水温スイッチのオーバーヒート設定温度と、当該水温スイッチが動作したときの冷却水温度検出手段により検出された検出冷却水温度との差を補正値として算出し、当該検出冷却水温度と補正値の和によって算出される冷却水温度データにより、インバータ装置の出力制御を行っている。従って、水温スイッチと比較して信頼性の劣る冷却水温度検出手段の計測値を用いて、インバータ装置の出力制御を行った場合であっても、確実にオーバーヒートを防止させることができる。
【０００８】
また、前記インバータ制御手段では、オーバーヒート設定温度未満において予め定められている所定の複数区分の冷却水温度範囲毎に、当該冷却水温度範囲が高温度になるに従って減少するように制限電流値、又は、制限電力値が段階的に設定されており、冷却水温度の上昇に応じて前記制限電流値、又は、制限電力値が維持されるように、検出電流、又は、検出電流及び検出電圧に基づいて、前記インバータ装置の出力電流、又は、出力電力を減少させる制御を行うことができるため、エンジンの冷却効率が低下した場合であっても、確実にオーバーヒートを防止することができる。
【発明を実施するための最良の形態】
【０００９】
本発明を実施するための最良の一形態（以下「実施形態」という）について、図面を参照して詳細に説明する。
【００１０】
［構成］
（１）系統連系用エンジン駆動発電機
図１に示すように、本発明のオーバーヒート防止装置を備える系統連系用エンジン駆動発電機１は、エンジンＥにより駆動される発電機Ｇと、当該発電機Ｇの交流出力電圧を整流して直流電圧を出力する整流手段ＲＥＣと、当該直流電圧を規定電圧及び規定周波数の交流電力に変換して出力するインバータ装置ＩＶと、エンジン制御手段２０と、インバータ制御手段３０と、電流検出器４１（電流検出手段）と、電圧検出器４２（電圧検出手段）とを備えている。
そして、この系統連系用エンジン駆動発電機１は、第１遮断器ＣＢ１及び第２遮断器ＣＢ２を介して商用電源２と並列に接続されており、両者は第３遮断器ＣＢ３を介して負荷装置３に接続されている。
【００１１】
（２）オーバーヒート防止装置
オーバーヒート防止装置は、エンジン制御手段２０と、インバータ装置ＩＶの出力を制御するためのインバータ制御手段３０と、電流検出器４１と、電圧検出器４２と、水温センサ５１（冷却水温度検出手段）と、水温スイッチ５２と、を主要部としている。
【００１２】
エンジンＥにはラジエータＲが接続されており、当該ラジエータＲの冷却水温度を検出するための水温センサ５１と、冷却水温度がオーバーヒート設定温度（本実施形態では、１０５度）以上の場合にオンし、オーバーヒート設定温度未満の場合にはオフする水温スイッチ５２が設けられている。
前記水温センサ５１は、検出冷却水温度に比例した電圧を、エンジン制御手段２０におけるマイクロコンピュータ２２（以下「マイコンという」）のＡ／Ｄ（アナログデジタル）コンバータ２３に出力可能となっている。
なお、水温スイッチ５２は、一般に使用されている水温スイッチで、水温センサ５１と比較して測定精度が高い機器である。
【００１３】
エンジン制御手段２０は、エンジンガバナ制御回路２１と、当該エンジンガバナ制御回路２１を制御するためのマイコン２２を有している。
エンジンガバナ制御回路２１は、マイコン２２から発せられるエンジンＥの始動命令信号に基づきエンジン始動装置Ｓに始動信号を出力してエンジンＥを始動させること、エンジン停止信号を出力してエンジンガバナソレノイド電源（図示せず）をオフしてエンジンＥを停止させること、水温スイッチ５２のオン／オフと、水温センサ５１が後記オーバーヒート設定温度以上の場合の一方の場合を検知してエンジンＥを停止させることの他、エンジン回転数の制御、エンジンＥの運転及び停止のための各種動作を制御する回路である。
【００１４】
また、マイコン２２は、Ａ／Ｄコンバータ２３と、補正値算出部２４（補正値算出手段）と、補正値記憶部２５（補正値記憶手段）と、冷却水温度データ算出部２６（冷却水温度データ算出手段）とを備えている。
Ａ／Ｄコンバータ２３は、入力された検出冷却水温度のデータをディジタル値（以下「検出冷却水温度データ」という）に変換する手段であり、検出冷却水温度データを補正値算出部２４と、冷却水温度データ算出部２６に出力可能となっている。
補正値算出部２４は、前記オーバーヒート設定温度と、当該水温スイッチ５２が動作したときの検出冷却水温度データとの差を補正値として算出するための手段であり、補正値データを補正値記憶部２５に出力可能となっている。
【００１５】
補正値記憶部２５は、補正値算出部２４で算出された補正値データを記憶するための手段である。なお、補正値記憶部２５に記憶されている補正値データの初期値は０度である。
冷却水温度データ算出部２６は、検出冷却水温度データに補正値データを加えて冷却水温度データを算出するための手段である。この冷却水温度データは、インバータ制御手段３０に出力されることになる。
【００１６】
インバータ装置ＩＶは、ゲート回路７を備えているＩＧＢＴ（絶縁ゲート型バイポーラ・トランジスタ）６として構成されている。このインバータ装置ＩＶは、インバータ制御手段３０から送信されるゲート信号に従い、ゲート回路７によりＩＧＢＴ６をオン／オフ制御することで、負荷装置３に交流電力を出力可能となっている。なお、符号ＭＣは、電磁接触器である。
また、電流検出器４１及び電圧検出器４２は、それぞれ、インバータ装置ＩＶの出力電流及び出力電圧を検出する装置であり、検出された出力電流及び出力電圧に比例した電圧が、後記インバータ制御手段３０のＡ／Ｄコンバータ３１，３２に出力されている。
【００１７】
インバータ制御手段３０はマイコンから構成されており、記憶手段（図示せず）に記憶されているプログラムを逐次読み出し実行することによって、後記制限電力設定値の設定からＩＧＢＴ６のオン／オフに至る一連の制御を実行して、インバータ装置ＩＶの出力を段階的に制御するための手段である。
このインバータ制御手段３０は、検出された出力電流及び検出された出力電圧をディジタル値（以下、それぞれ「検出電流データ」及び「検出電圧データ」という）に変換するためのＡ／Ｄコンバータ３１，３２と、冷却水温度データ受信部３３と、出力電力算出部３４と、制限電力値記憶部３５と、制限電力値設定部３６と、出力電力判断部３７と、ゲート信号送信部３８とを備えている。
【００１８】
冷却水温度データ受信部３３は、エンジン制御手段２０から転送される冷却水温度データを受信して、制限電力値設定部３６に出力するための手段である。
出力電力算出部３４は、各Ａ／Ｄコンバータ３１，３２から出力された検出電流データと検出電圧データから、インバータ装置ＩＶの出力電力実測値を算出するための手段である。
【００１９】
制限電力値記憶部３５には、前記オーバーヒート設定温度（１０５度）未満において予め定められている所定の複数区分の冷却水温度範囲のデータと、当該各区分に対応して設定されている制限電力値のデータが関連づけて記憶されている。本実施形態では１０ｋＷを定格出力としている系統連系用エンジン駆動発電機１を対象としており、２区分の冷却水温度範囲（１０３度以上１０４度未満、１０４度以上１０５度未満）が設定されており、各冷却水温度範囲毎に、高温度になるに従い段階的に制限電力値が減少するように、９ｋＷ、８ｋＷの制限電力値が設定されている。
なお、冷却水温度データが、１０３度未満の冷却水温度範囲に対しては、全出力である１０ｋＷの出力電力設定値が設定されている。
【００２０】
制限電力値設定部３６は、冷却水温度データが前記オーバーヒート設定温度未満の場合において、制限電力値記憶部３５に記憶されている複数の制限電力値のデータから、冷却水温度データ受信部３３から出力された冷却水温度データが属する冷却水温度範囲に対応する制限電力値のデータを抽出し、制限電力値（以下、抽出された制限電力値を「制限電力設定値」と称して区別する）として出力電力判断部３７に出力するための手段である。
【００２１】
出力電力判断部３７は、制限電力値設定部３６により抽出された制限電力設定値と出力電力実測値とを比較することにより、インバータ装置ＩＶの出力電力実測値が制限電力設定値と一致しているか否か、及び、一致していない場合には、出力電力実測値が制限電力設定値と比べて大きいか小さいかを判断する手段である。
【００２２】
ゲート信号送信部３８は、前記出力電力判断部３７の判断結果により、ＩＧＢＴ６に対する所定のオン・オフ制御を行うための適宜のゲート信号を発生して、ゲート回路７に送信するための手段である。
すなわち、このゲート信号送信部３８は、出力電力実測値と制限電力設定値とが一致している場合には、そのままの状態でインバータ装置ＩＶの出力を継続させ、出力電力実測値が制限電力設定値より大きい場合にはインバータ装置ＩＶの出力電力を低下させるとともに、出力電力実測値が制限電力設定値より小さい場合にはインバータ装置ＩＶの出力電力を増加させるためのゲート信号を発生させて、ゲート回路７に送信することができるようになっている。
【００２３】
［動作］
以下、主として図２を参照して、オーバーヒート防止装置の動作について説明する。なお、この段階では、まだ水温スイッチ５２は一度も作動しておらず、補正値データは０度に設定されているものとする。
【００２４】
＜水温スイッチの作動前＞
まず、第２遮断器ＣＢ２を投入すると共に、第３遮断器ＣＢ３を投入する。
続いて、第１遮断器ＣＢ１を投入して、系統連系用エンジン駆動発電機１のエンジンＥを始動し（Ｓ１）、商用電源２との同期を確認して、電磁接触器ＭＣを投入して連系運転を開始する。
水温センサ５１では、検出冷却水温度データが検出され（Ｓ２）、冷却水温度データ算出部２６において冷却水温度データが算出され（Ｓ３）、算出された冷却水温度データがインバータ制御手段３０に送信されて（Ｓ４）、冷却水温度データ受信部３３で受信される（Ｓ５）。一方、エンジン制御手段２０では、冷却水温データが１０５度以上か否か（Ｓ６）と、水温スイッチ５２がオフか否か（Ｓ１０）が判断され、冷却水温度データが１０５度未満（Ｓ６のＮｏ）であり、水温スイッチ５２がオフの場合（Ｓ１０のＹｅｓ）には、インバータ制御手段３０で判別される冷却水温度データの値に応じて、以下のようにインバータ装置ＩＶの制御が行われる。
なお、この段階では、補正値の初期値は０度に設定されているため、冷却水温度データは、検出冷却水温度データと一致することになる。
【００２５】
（１）冷却水温度データが１０３度未満の場合
前記条件の場合（Ｓ１７のＮｏかつＳ１８のＮｏ）には、出力電力設定値が１０ｋＷに設定される（Ｓ１８”）。
一方、電流検出器４１及び電圧検出器４２で検出された検出電流データと検出電圧データから、出力電力算出部３４によりインバータ装置ＩＶの出力電力実測値が算出される。
そして、出力電力判断部３７は、出力電力実測値と出力電力設定値（１０ｋＷ）とを比較して、出力電力実測値が出力電力設定値と一致している場合（Ｓ１９のＹｅｓ）には、そのままの状態で運転を継続するように、ゲート信号送信部３８からゲート信号を送信して、インバータ装置ＩＶの出力を制御する。一方、出力電力実測値が出力電力設定値より小さい場合（Ｓ１９のＮｏ及びＳ２０のＮｏ）には、インバータ装置ＩＶの出力電力を上げる（Ｓ２０”）ように、インバータ装置ＩＶの出力を制御する。
【００２６】
（２）冷却水温度データが１０３度以上１０４度未満の場合
前記条件の場合（Ｓ１７のＮｏかつＳ１８のＹｅｓ）には、制限電力値設定部３６により、制限電力値記憶部３５に記憶されている複数の制限電力値データの中から、当該冷却水温度範囲に対応する制限電力値のデータが抽出されることにより、制限電力設定値が９ｋＷに設定される（Ｓ１８’）。
そして、インバータ装置ＩＶの出力電力実測値が制限電力設定値（９ｋＷ）と一致している場合（Ｓ１９のＹｅｓ）には、そのままの状態で運転を継続するように、インバータ装置ＩＶの出力を制御する。
一方、出力電力実測値が制限電力設定値より大きい場合（Ｓ１９のＮｏ及びＳ２０のＹｅｓ）には、インバータ装置ＩＶの出力電力を下げ（Ｓ２０’）、出力電力実測値が制限電力設定値より小さい場合（Ｓ１９のＮｏ及びＳ２０のＮｏ）には、インバータ装置ＩＶの出力電力を上げる（Ｓ２０”）ように、インバータ装置ＩＶの出力を制御する。
【００２７】
（３）冷却水温度データが１０４度以上１０５度未満の場合
前記条件の場合（Ｓ１７のＹｅｓ）には、前記と同様の手順により制限電力設定値は８ｋＷに設定される（Ｓ１７’）。
そして、インバータ装置ＩＶの出力電力実測値が制限電力設定値（８ｋＷ）と一致している場合（Ｓ１９のＹｅｓ）には、そのままの状態で運転を継続するように、インバータ装置ＩＶの出力を制御する。
一方、出力電力実測値が制限電力設定値より大きい場合（Ｓ１９のＮｏ及びＳ２０のＹｅｓ）には、インバータ装置ＩＶの出力電圧を下げ（Ｓ２０’）、出力電力実測値が制限電力設定値より小さい場合（Ｓ１９のＮｏ及びＳ２０のＮｏ）には、インバータ装置ＩＶの出力電力を上げる（Ｓ２０”）ように、インバータ装置ＩＶの出力を制御する。
【００２８】
（４）冷却水温度データが１０５度以上の場合
前記条件の場合（Ｓ６のＹｅｓ）には、エンジンガバナ制御回路２１により、エンジン停止信号が出力され（Ｓ７）、エンジンガバナソレノイド電源がオフして（Ｓ８）エンジンＥが停止するとともに、所定の異常信号表示が行われる（Ｓ９）。
【００２９】
＜水温スイッチの作動時＞
（冷却水温度データが１０５度未満の場合）
前記条件の場合（Ｓ６のＮｏかつＳ１０のＮｏ）は、水温センサ５１の計測誤差により、水温センサ５１で検出される検出冷却水温度データが実際の冷却水温度の値より低温の状態となっている。この場合には、水温スイッチ５２がオンして、エンジンガバナ制御回路２１により、エンジン停止信号が出力され（Ｓ１１）、エンジンガバナソレノイド電源がオフして（Ｓ１２）エンジンＥが停止するとともに、所定の異常信号表示が行われる（Ｓ１３）。
そして、補正値算出部２４が、水温スイッチ５２が動作したときの検出冷却水温度データと、水温スイッチ５２のオーバーヒート設定温度（１０５度）との差から補正値を算出して（Ｓ１４）、補正値記憶部２５に補正値データを記憶する（Ｓ１５）。
【００３０】
＜水温スイッチの作動後＞
再度、系統連系用エンジン駆動発電機１のエンジンＥを始動し（Ｓ１）、商用電源２との同期を確認して、電磁接触器ＭＣを投入して連系運転を開始する。そして、前記方法で算定された補正値を使用して算出された冷却水温度データの値に基づいて、前記と同様の方法で系統連系用エンジン駆動発電機１が制御される。
【００３１】
この場合において、水温スイッチ５２のオーバーヒート設定温度と比較して、水温センサ５１で検出される検出冷却水温度データの方が低温であった状態を是正できるため、より確実にオーバーヒートを防止することができる。
【００３２】
以上のように、本発明のオーバーヒート防止装置によれば、オーバーヒート設定温度以上で動作する水温スイッチ５２と、検出冷却水温度との差を補正値として算出し、当該検出冷却水温度と補正値の和によって算出される冷却水温度データにより、インバータ装置ＩＶの出力制御を行っている。従って、水温スイッチ５２と比較して信頼性の劣る水温センサ５１の計測値を用いて、インバータ装置ＩＶの出力制御を行った場合であっても、確実にオーバーヒートを防止させることができる。
【００３３】
また、オーバーヒート設定値未満において予め定められている所定の複数区分の冷却水温度範囲毎に、当該冷却水温度範囲が高温度になるに従って減少するように制限電力値が段階的に設定されており、冷却水温度データの上昇に応じて当該制限電力値が維持されるように、前記インバータ装置ＩＶの出力電力を段階的に減少させる制御を行うことが可能となるように構成されているため、さらに、確実にオーバーヒートを防止することができる。
【００３４】
なお、前記実施形態では、インバータ制御手段３０は、電流検出器４１により検出された検出電流と電圧検出器４２により検出された検出電圧とから算出された出力電力実測値に基づいて前記インバータ装置ＩＶの出力を制御する構成とした。しかし、インバータ制御手段３０は、電流検出器４１により検出された検出電流のみに基づき、前記設定温度以上において予め定められている所定の複数区分の冷却水温度範囲毎に、当該冷却水温度範囲が高温度になるに従って増加するように設定されている制限電流値を維持するように、インバータ装置ＩＶの出力を制御するものであってもよい。
【００３５】
以上、本発明について、好適な実施形態についての一例を説明したが、本発明は当該実施形態に限られず、本発明の趣旨を逸脱しない範囲で適宜設計変更が可能である。特に、オーバーヒート設定温度、冷却水温度範囲及びその区分数、各制限電力値（制限電流値）は、系統連系用エンジン駆動発電機の定格出力に応じて適切に定められるものであることは言うまでもない。
また、インバータ制御手段は、マイコンで制御を行う構成としたが、その他の方法によって制御するものであってもよい。
【図面の簡単な説明】
【００３６】
【図１】系統連系用エンジン駆動発電機のブロック図である。
【図２】オーバーヒート防止装置の動作を示すフロー図である。
【符号の説明】
【００３７】
１      系統連系用エンジン駆動発電機
２０    エンジン制御手段
２１    エンジンガバナ制御回路
２２    マイクロコンピュータ（マイコン）
２４    補正値算出部（補正値算出手段）
２５    補正値記憶部（補正値記憶手段）
２６    冷却水温度データ算出部（冷却水温度データ算出手段）
３０    インバータ制御手段
３４    出力電力算出部
３５    制限電力値記憶部
３６    制限電力値設定部
３７    出力電力判断部
３８    ゲート信号送信部
４１    電流検出器（電流検出手段）
４２    電圧検出器（電圧検出手段）
５１    水温センサ（冷却水温度検出手段）
５２    水温スイッチ
Ｅ      エンジン
Ｇ      発電機
ＩＶ    インバータ装置
ＲＥＣ  整流手段
【図１】
2005076566.tif 000003
【図２】
2005076566.tif 000004